(57)【要約】【課題】  操作性や外観の選択の自由度を高めることができる湯水混合水栓を提供する。【解決手段】  湯側の流入路２１と、水側の流入路２２と、流出路２４とを具備する水栓ボディ１０と、水栓ボディ１０を被覆する外装部材３０と、湯側のハンドル４１Ａによって閉弁操作及び開弁操作が施される湯側の吐止水弁５０Ａと、水側のハンドル４１Ｂによって閉弁操作及び開弁操作が施される水側の吐止水弁５０Ｂと、を備え、デッキ面４Ｄ等に設置される湯水混合水栓１である。湯側の操作部４１Ａと水側の操作部４１Ｂとが、外装部材３０の外面部のうちで一側方の側に位置する部分から突出する状態に配置されている。【選択図】      図１
2006257746.tif 000002
【特許請求の範囲】
【請求項１】
湯を流入させる湯側の流入路と、水を流入させる水側の流入路と、吐水手段に連絡される流出路とを具備する水栓ボディと、
前記水栓ボディに配置されると共に、湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁装置と、
前記水栓ボディに配置されると共に、水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁装置と、
を備え、上向きの設置面に設置される湯水混合水栓であって、
前記湯側の操作部と前記水側の操作部とが、前記水栓ボディの外面部のうちで一側方の側に位置する部分から突出する状態に配置されていることを特徴とする湯水混合水栓。
【請求項２】
湯を流入させる湯側の流入路と、水を流入させる水側の流入路と、吐水手段に連絡される流出路とを具備する水栓ボディと、
前記水栓ボディを被覆する外装部材と、
前記水栓ボディに配置されると共に、湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁装置と、
前記水栓ボディに配置されると共に、水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁装置と、
を備え、上向きの設置面に設置される湯水混合水栓であって、
前記湯側の操作部と前記水側の操作部とが、前記外装部材の外面部のうちで一側方の側に位置する部分から突出する状態に配置されていることを特徴とする湯水混合水栓。
【請求項３】
前記水栓ボディの外周部のうちで一側方の側に位置する部分には、前記湯側の吐止水弁装置が装着される湯側の装着部と、前記水側の吐止水弁装置が装着される水側の装着部とが略筒形状に突出する状態に形成され、
前記外装部材は、上下に開口部を備える略筒状体によって構成されると共に湯側の挿入部と水側の挿入部とを肉厚方向に貫通する状態に備え、
前記外装部材と前記水栓ボディとの間に横方向に沿った位置ずれを生じさせた状態で、前記外装部材に前記水栓ボディを挿入した後に、
前記外装部材と前記水栓ボディとの間に横方向に沿った相対移動を生じさせて前記位置ずれを修正しつつ、前記湯側の装着部を前記湯側の挿入部に挿入し、前記水側の装着部を前記水側の挿入部に挿入すると共に、前記外装部材の内周部と前記水栓ボディの外周部との間に所定の空間部を設けることを特徴とする請求項２に記載の湯水混合水栓。
【請求項４】
前記水栓ボディの外周部のうちで一側方の側に位置する部分には、前記湯側の吐止水弁装置が装着される湯側の装着部と、前記水側の吐止水弁装置が装着される水側の装着部とが略筒形状に突出する状態に形成され、
前記外装部材は略筒状体によって構成され、湯側の挿入部と水側の挿入部とを肉厚方向に貫通する状態に備えると共に、前記湯側の装着部を該湯側の挿入部に挿入し、前記水側の装着部を該水側の挿入部に挿入し、かつ、前記外装部材の内周部と前記水栓ボディの外周部との間に所定の空間部を設けた状態で前記水栓ボディを被覆すると共に、
前記水栓ボディの外郭部のサイズが、前記外装部材に挿入可能なサイズとされていることを特徴とする請求項２に記載の湯水混合水栓。
【請求項５】
前記湯側の装着部は、前記湯側の挿入部に対して隙間部を形成した状態で挿入され、前記水側の装着部は前記水側の挿入部に対して隙間部を形成した状態で挿入されると共に、
各隙間部には、安定化部材が前記外装部材の外側から嵌合されることを特徴とする請求項３又は請求項４の何れかに記載の湯水混合水栓。
【請求項６】
前記水栓ボディの外周部において上下方向に沿った複数カ所には、該外周部を略周回する状態のスペーサ部材が各々装着されると共に、
各スペーサ部材の外周部が、前記外装部材の内周部と当接していることを特徴とする請求項２乃至請求項５の何れかに記載の湯水混合水栓。
【請求項７】
前記湯側の装着部と、前記水側の装着部は、前記外装部材内に配置されることを特徴とする請求項２乃至請求項６の何れかに記載の湯水混合水栓。
【請求項８】
前記湯側の操作部と前記水側の操作部とが、上下に並んだ状態に配置されていることを特徴とする請求項１乃至請求項７の何れかに記載の湯水混合水栓。
【請求項９】
前記吐水手段が上面部に配置されていることを特徴とする請求項１乃至請求項８の何れかに記載の湯水混合水栓。
【請求項１０】
前記湯側の流入路と、前記水側の流入路とが、前記水栓ボディの内部を下方から上方に向かう経路を備え、
前記湯側の流入路の２次側の端部と、前記水側の流入路の２次側の端部とが、前記水栓ボディの内部において高さの異なる位置に配置されると共に、
前記湯側の流入路の２次側の端部と、前記水側の流入路の２次側の端部とのうちで、下方に配置される一方の２次側の端部が、上方に配置される他方の２次側の端部に対して、水栓ボディの内部を下方から上方に向かう連絡路を用いて連絡され、
前記他方の２次側の端部に、前記流出路が連絡されることを特徴とする請求項９に記載の湯水混合水栓。
【発明の詳細な説明】
【技術分野】
【０００１】
本発明は、湯水混合水栓に関し、具体的には、操作性や外観の選択の自由度を高めることができる湯水混合水栓に関する。
【背景技術】
【０００２】
湯水混合水栓の中には、上向きの設置面（特に、水平なデッキ面、台面等）に設置して使用されるタイプのもの（所謂「デッキタイプ」若しくは「台付きタイプ」と称される湯水混合水栓）がある。更に、このタイプの湯水混合水栓の中には、湯側のハンドルと、水側のハンドルとにマニュアル操作を施して、吐水温度の調節等を行うもの（以下、「２ハンドルタイプ」ということがある。）が存在する（特許文献１の図１等を参照、以下「従来例」という。）。
【特許文献１】特開平１０−２２７０５０号公報
【発明の開示】
【発明が解決しようとする課題】
【０００３】
しかし、この従来例に係る湯水混合水栓では、操作性や、外観の選択の自由度の点で問題を有している。つまり、このタイプの湯水混合水栓では、通常、水栓ボディの上面部に吐水手段（吐水管、シャワースタンド等）を配置し、その両脇に、湯側のハンドルと、水側のハンドルとを配置する構造を採用する。具体的には、（１）水栓ボディの上面部の中央部に吐水手段を配置し、この上面部における吐水手段の左側に湯側のハンドルを配置し、この上面部における吐水手段の右側に水側のハンドルを配置する構造（以下、「タイプ１」という。）や、（２）水栓ボディの上面部の中央に吐水手段を配置し、水栓ボディの左側面部に湯側のハンドルを配置し、水栓ボディの右側面部に水側のハンドルを配置する構造（以下、「タイプ２」という。）、等が採用されている。
【０００４】
かかる構造を備える湯水混合水栓においては、使用者が吐水温度の調節等を行う際に、両手を用いたハンドル操作が必要となる。つまり、通常、吐水手段の前方に位置する使用者は、自己の左前方に位置するハンドル（通常、湯側のハンドル）を左手で操作し、自己の右前方に位置するハンドル（通常、水側のハンドル）を右手で操作するのが一般的である。従って、この種の湯水混合水栓では、使用者は両手を用いた煩雑なハンドル操作が必要であり、操作性が低いという問題を有している。
【０００５】
また、「タイプ１」の湯水混合水栓では、水栓ボディの上面部に、吐水手段と、湯側のハンドルと、水側のハンドルの配置スペースを確保することが必要となるため、水栓ボディ自体の横幅（以下、使用者から見て、左右方向に沿った幅の意味で用いる。）を十分なものとすることが必要となる。更に、「タイプ２」の湯水混合水栓では、水栓ボディの両側部からハンドルを突出させる構造となるため、湯水混合水栓全体の横幅（両ハンドルを含めた横幅）が大きくなり易い。換言すると、「タイプ１」及び「タイプ２」の湯水混合水栓では、その横幅等を選択する自由度は低くなっている。このため、従来例の湯水混合水栓（２ハンドルタイプの湯水混合水栓）では、水栓ボディ、ひいては、湯水混合水栓の外観の選択の自由度が低くなっている。
【０００６】
本発明は、上述の課題を解決するものであり、操作性や外観の選択の自由度を高めることができる湯水混合水栓を提供することを目的とする。
【課題を解決するための手段】
【０００７】
請求項１の発明の湯水混合水栓は、
湯を流入させる湯側の流入路と、水を流入させる水側の流入路と、吐水手段に連絡される流出路とを具備する水栓ボディと、
前記水栓ボディに配置されると共に、湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁装置と、
前記水栓ボディに配置されると共に、水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁装置と、
を備え、上向きの設置面に設置される湯水混合水栓であって、
前記湯側の操作部と前記水側の操作部とが、前記水栓ボディの外面部のうちで一側方の側に位置する部分から突出する状態に配置されていることを特徴とする。
【０００８】
請求項１の発明では、湯側の操作部と水側の操作部を、「湯水混合水栓の外面部における一側方の側の部分（例えば、使用者から見て、右側方の側の部分、若しくは、左側方の側の部分等）」に集約する。このため、使用者は、湯側の操作部と水側の操作部を片方の手で操作することができる。よって、請求項１の発明によると、各操作部の操作性、ひいては、湯水混合水栓の操作性が高くなる。
【０００９】
また、請求項１によると、水栓ボディの上面部に、湯側の操作部と水側の操作部とを配置する必要がないため、水栓ボディの横幅を必ずしも、大きくする必要がない。しかも、「湯水混合水栓の外面部における一側方の側の部分」に、湯側の操作部と水側の操作部を集中的に配置でき、水栓ボディの左右の両側部に操作部を配置する必要がないため、湯水混合水栓全体の横幅を必ずしも、大きくする必要がない。つまり、請求項１の発明によると、湯水混合水栓の横幅の選択の自由度（大きなものを選択したり、小さなもの選択する自由度）が高くなる。従って、請求項１の発明によると、外観の選択の自由度が高められる。
【００１０】
請求項２の発明の湯水混合水栓は、
湯を流入させる湯側の流入路と、水を流入させる水側の流入路と、吐水手段に連絡される流出路とを具備する水栓ボディと、
前記水栓ボディを被覆する外装部材と、
前記水栓ボディに配置されると共に、湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁装置と、
前記水栓ボディに配置されると共に、水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁装置と、
を備え、上向きの設置面に設置される湯水混合水栓であって、
前記湯側の操作部と前記水側の操作部とが、前記外装部材の外面部のうちで一側方の側に位置する部分から突出する状態に配置されていることを特徴とする。
【００１１】
請求項２の発明においては、湯側の操作部と水側の操作部とが湯水混合水栓（外装部材）の外面部のうちで一側方の側に位置する部分から突出する状態に配置されるため、請求項１の発明と同様な効果が得られる。つまり、請求項２の発明によっても、請求項１の発明と同様な理由により、各操作部の操作性、ひいては、湯水混合水栓の操作性が高くなる。また、請求項２の発明によっても、請求項１の発明と同様な理由により、外観の選択の自由度が高められる。
【００１２】
更に、請求項２の発明によると、以下の効果を得ることもできる。つまり、請求項２の発明によると、湯水混合水栓の安全性を高めつつ、湯水混合水栓の製造コストの削減を図ることができる。つまり、水栓ボディの表面部には、高温となる部分（湯側の流入路の周囲の部分や、流出路の周囲の部分等であって、以下、「高温表面部」という。）が存在する。そして、水栓ボディを外観として露呈させる湯水混合水栓においては、この「高温表面部」が、むき出しとなり、使用者が誤って接触すると、火傷等を生ずる危険性がある。
【００１３】
また、水栓ボディにおいて、湯側の流入路の周囲の部分や流出路の周囲の部分に冷却用の空洞部（空気層）を設けたり、湯側の流入路の周囲の部分や流出路の周囲の部分の肉厚を厚くして、「高温表面部」の面積を少なくする等の対策（以下、「熱対策」という。）を施すこと等によって、前記「火傷等を生ずる危険性」を低くすることができる。ところが、これらの「熱対策」によっても、水栓ボディ全体から「高温表面部」を無くすことは困難であり、依然として、前記「火傷等を生ずる危険性」が存在することになる。
【００１４】
また、これらの「熱対策」によると、鋳物等を用いて水栓ボディを作製する際のコストが高くなり、このため、湯水混合水栓の製造コストを高くすることになり易い。蓋し、湯側の流入路の周囲の部分や流出路の周囲の部分に冷却用の空洞部（空気層）を設ける態様では水栓ボディの構造が複雑化し、水栓ボディの製造上の手間が多くなる。また、湯側の流入路の周囲の部分や流出路の周囲の部分の肉厚を厚くする態様では、この肉厚を厚くする分だけ、水栓ボディを作製する際の原料費が高くなるからである。
【００１５】
一方、請求項２の発明によると、水栓ボディを外装部材によって覆うことで、「高温表面部」を外装部材の内部に納め、外部に露呈させない。このため、水栓ボディに対して前記「熱対策」を施すまでもなく、確実に、前記「火傷等を生ずる危険性」を無くすることができる。従って、請求項２の発明によると、湯水混合水栓の安全性を高めつつ、湯水混合水栓の製造コストの削減を図ることができる。また、請求項２の発明によると、水栓ボディに前記「熱対策」を施す必要がない分だけ、この水栓ボディを細くすることもできる。つまり、請求項２の発明によると、水栓ボディの太さに関する選択の範囲が広くなり、その分、外観の選択の自由度が更に高められる。
【００１６】
ここで、各請求項の発明において、「〜外面部のうちで一側方の側に位置する部分」とは、以下の部分をいう。つまり、図１２（ａ）に示すように、湯水混合水栓の外面部（請求項１の発明では水栓ボディの外面部であり、請求項２の発明では外装部材の外面部である。）Ｇの外縁部が、略円形、略楕円となる場合（以下、「具体例１」という。）には、以下の部分を指す。つまり、湯水混合水栓の外面部のうちで、湯水混合水栓の正面に居る使用者Ｍから見て、右側方の側の位置する部分と、左側方の側の位置する部分とのうちの何れかを指す。即ち、湯水混合水栓の最前方の位置Ｆと、最後方（真後ろ）の位置Ｂとを除く部分であって、最前方の位置Ｆから最後方の位置Ｂに向かって、左右何れかの方向より半周回状の経路を描く部分である。より具体的には、湯水混合水栓の外周部の周方向に沿った各位置を、湯水混合水栓の軸心を中心（Ｏ）としつつ、反時計回りに計る中心角（Ｘ）で示し、しかも、最前方の位置Ｆの中心角（Ｘ）を「ゼロ度」とすると、「〜外面部のうちで一側方の側に位置する部分」は、「０度＜Ｘ＜１８０度」の範囲にある部分、及び、「１８０度＜Ｘ＜３６０度」の範囲にある部分のうちの一方である。
【００１７】
また、図１２（ｂ）及び（ｃ）に示すように、湯水混合水栓の外面部（請求項１の発明では水栓ボディの外面部であり、請求項２の発明では外装部材の外面部である。）Ｇが、複数の側面部を備える場合（横断面形状が三角形状、多角形状の場合等）には、以下の部分を指す。つまり、湯水混合水栓の正面に居る使用者Ｍから見て、右側方の側の位置する「右側面部Ｒ」と、左側方の側の位置する「左側面部Ｌ」とのうちの何れかを指す。
【００１８】
尚、「具体例１」においては、湯側の操作部の操作軸（回動軸等）の軸心位置と、水側の操作部の操作軸（回動軸等）の軸心位置は、両操作部の操作性をより一層、高める上で、以下の範囲とすることが好ましい。即ち、湯側の操作部の操作軸と、水側の操作部の操作軸とが形成する角度｛中心（Ｏ）回りの角度｝を４５度以下（ゼロ度を含む）とすることが好ましく、３０以下（ゼロ度を含む）とすることが更に好ましい。また、ゼロ度とすると（つまり、両操作軸の軸心を平行にすること）、特に好ましい。
【００１９】
各請求項の発明において、「湯側の操作部」及び「水側の操作部」は、回動操作のみが施される「ハンドルタイプの操作部」であっても、傾動操作のみが施される「レバータイプの操作部」であってもよいし、傾動操作及び回動操作が施される「レバータイプの操作部」であってもよい。また、湯側の吐止水弁と、水側の吐止水弁は、吐止水の選択機能のみを備えていてもよいし、吐止水の選択機能と共に吐水量の調節機能を備えてもよい。
【００２０】
各請求項の発明の「上向きの設置面」には、湯水混合水栓の設置空間（浴室、台所、洗面所等）において鉛直上方を向く設置面（水平な設置面）の他に、この設置空間において、斜め上方を向く設置面（傾斜状の設置面）も含まれる。例えば、（Ａ）浴室の浴槽の側方、流し台の奥側、若しくは、洗面台の奥側等に設けられるデッキ部の上面や、設置空間に配置されるカウンターの上面等によって構成することができる。
【００２１】
各吐止水弁装置の構造は種々選択可能であり、例えば、（ａ）固定ディスクと可動ディスクとを備える摺動弁装置や、（ｂ）水栓ボディに設けられた弁座部に着座したり、弁座部から離間して、弁座部の開閉や弁座部の開放度合いの調節を行う水栓コマによって構成される弁装置、（ｃ）リフト方式の弁装置（対向する一対の弁口に対して弁体を進退させて吐止の選択及び吐水量調節を行う弁装置）等を例示できる。但し、（ａ）の摺動弁装置を採用すると、湯水混合水栓のより一層のコンパクト化が可能となり、湯水混合水栓の外観選択の自由度がより一層、高められる。つまり、摺動弁装置であれば、その主要部をなす弁体（固定ディスク及び可動ディスク）自体の薄肉化が容易で、しかも、弁装置の開閉に際して弁体のリフトを必要としない。このため、摺動弁装置を用いると、吐止水弁装置のコンパクト化が可能である。よって、水栓ボディにおいて、吐止水弁装置の配置スペースが大きくならないため、水栓ボディ、ひいては、湯水混合水栓の設計の自由度を更により一層、高めることができる。
【００２２】
請求項３の湯水混合水栓は、請求項２に記載の湯水混合水栓において、
前記水栓ボディの外周部のうちで一側方の側に位置する部分には、前記湯側の吐止水弁装置が装着される湯側の装着部と、前記水側の吐止水弁装置が装着される水側の装着部とが略筒形状に突出する状態に形成され、
前記外装部材は、上下に開口部を備える略筒状体によって構成されると共に湯側の挿入部と水側の挿入部とを肉厚方向に貫通する状態に備え、
前記外装部材と前記水栓ボディとの間に横方向に沿った位置ずれを生じさせた状態で、前記外装部材に前記水栓ボディを挿入した後に、
前記外装部材と前記水栓ボディとの間に横方向に沿った相対移動を生じさせて前記位置ずれを修正しつつ、前記湯側の装着部を前記湯側の挿入部に挿入し、前記水側の装着部を前記水側の挿入部に挿入すると共に、前記外装部材の内周部と前記水栓ボディの外周部との間に所定の空間部を設けることを特徴とする。
【００２３】
ここで、本明細書において、「外装部材に水栓ボディを挿入」する態様には、（１）固定状態にある外装部材に向かって、水栓ボディを近づけて、水栓ボディを外装部材に挿入する態様、（２）固定状態にある水栓ボディに向かって外装部材を近づけて、水栓ボディを外装部材に挿入する態様（外装部材を水栓ボディに被せる態様）、（３）外装部材及び水栓ボディを相互に近づけて、水栓ボディを外装部材に挿入する態様、等が含まれる。同様に、「湯側の装着部を湯側の挿入部に挿入する態様」や、「水側の装着部を水側の挿入部に挿入する」態様にも、（ａ）固定状態にある各装着部に向かって対応する挿入部を近づけて挿入する態様、（ｂ）固定状態にある各挿入部に向かって対応する装着部を近づけて挿入する態様、（ｃ）対応する挿入部と装着部とを相互に近づけて挿入する態様、等が含まれる。
【００２４】
請求項３の発明によると、湯水混合水栓の外観をより一層、向上させることができると共に、外装部材及び水栓ボディの組み付け作業の円滑化と、湯水混合水栓の安全性のより一層の向上を図ることができる。以下、この点に関し、図１３〜図１５を用いて説明する。例えば、左右両側部に操作部を配置する湯水混合水栓では、図１５（ａ）に示すように、吐止水弁装置が装着される装着部１０１、１０２を、水栓ボディ１００の左右両側部に突出状に設けることがある。かかる湯水混合水栓において、その水栓ボディ１００の外周部を、略円筒状の外装部材２００で被覆する場合、図１５（ｂ）に示すように、この外装部材２００を、複数の分割体２００Ａ、２００Ｂを組み合わせた構成とすることが必要となる。蓋し、水栓ボディ１００の装着部１０１、１０２は、通常、外装部材２００の挿入部（挿入孔）２０１、２０２に挿入される。ところが、この水栓ボディ１００における横方向に沿った最大幅Ｖ１は、装着部１０１、１０２を通過する部位で計測される。そして、この最大幅Ｖ１は、外装部材２００の内部空間の空間幅Ｗ１よりも大きくされる。
【００２５】
このため、外装部材２００を単一の略筒状体で構成すると、水栓ボディ１００を外装部材２００に挿入しようとしたときに、外装部材２００の内周部２０３と、両装着部１０１、１０２の突端部１０１ａ、１０２ａとが干渉し（両突出部１０１、１０２の突端部１０１ａ、１０２ａと、外装部材２００の端面とが衝突し）、結局、この挿入が不可能となるからである。従って、この湯水混合水栓では、分割体２００Ａ、２００Ｂ同士の合わせ目（接合部）２０５が意匠面に現れ、その分、外観が低下する。また、水栓ボディ１００と、外装部材２００とを組み付ける際に、複数の分割体２００Ａ、２００Ｂの接合（係合やネジ止め）等が必要なため、その分、この組み付けの手間が多くなる。
【００２６】
一方、請求項３の発明では、図１３（ａ）に例示するように、両装着部１０１、１０２（湯側の装着部１０１と、水側の装着部１０２）が、水栓ボディ１００の外周部のうちで一側方の側に位置する部分に集約される。しかも、図１４（ａ）に示すように、外装部材２００と水栓ボディ１００との間に横方向に沿った位置ずれを生じさせると、外装部材２００に水栓ボディ１００を挿入することが可能とされる。そして、外装部材２００に水栓ボディ１００を挿入した後に、外装部材２００と水栓ボディ１００の間に、横方向に沿った相対移動を生じさせて、この「位置ずれ」を修正する。その際、各装着部１０１、１０２と、対応する挿入部（挿入孔）２０１、２０２との間に横方向に沿った相対的なスライドを生じさせ、各装着部１０１、１０２を、対応する挿入部（挿入孔）２０１、２０２に挿入する。これにより、外装部材２００の内周部と水栓ボディ１００の外周部との間に空間部（断熱用の空間部）２２０が形成され、水栓ボディ１００の外周部の熱が、外装部材２００の外周部（湯水混合水栓の外周部）に伝達することが、より確実に防止される。
【００２７】
つまり、図１３（ｂ）に示すように、外装部材２００と、水栓ボディ１００との組み付けが完了したときに、外装部材２００の基準位置（例えば、軸心）Ｘ１と、水栓ボディ１００の基準位置Ｘ２とが位置合わせされると仮定する。かかる場合、請求項３の発明では、外装部材２００に水栓ボディ１００を挿入する作業を行う際に、図１４（ａ）に示すように、両基準位置Ｘ１、Ｘ２の間に作為的な「位置ずれ」を生じさせる。しかも、この外装部材２００の挿入作業が完了したところで、外装部材２００と水栓ボディ１００とを横方向に相対移動（横スライド）させ、両基準位置Ｘ１、Ｘ２の間の「位置ずれ」を修正する。その際、各装着部１０１、１０２が、対応する挿入部（挿入孔）２０１、２０２に挿入されると共に、外装部材２００の内周部２０３と水栓ボディ１００の外周部１０３との間に空間部（断熱用の空間部）２２０が形成される。
【００２８】
以上のように、請求項３の発明によると、外装部材２００を一体的な略筒状体によって構成し、湯水混合水栓の外観のより一層の向上を図ることができる。しかも、外装部材２００に対して、水栓ボディ１００を挿入する作業を円滑に行うことができるため、外装部材及び水栓ボディを組み付ける作業の円滑化を図ることができる。更に、外装部材２００の内周部２０３と水栓ボディ１００の外周部１０３との間に空間部（断熱用の空間部）２２０が確実に形成されるため、湯水混合水栓の安全性のより一層の向上を図ることができる。
【００２９】
請求項４の湯水混合水栓は、請求項２に記載の湯水混合水栓において、
前記水栓ボディの外周部のうちで一側方の側に位置する部分には、前記湯側の吐止水弁装置が装着される湯側の装着部と、前記水側の吐止水弁装置が装着される水側の装着部とが略筒形状に突出する状態に形成され、
前記外装部材は略筒状体によって構成され、湯側の挿入部と水側の挿入部とを肉厚方向に貫通する状態に備えると共に、前記湯側の装着部を該湯側の挿入部に挿入し、前記水側の装着部を該水側の挿入部に挿入し、かつ、前記外装部材の内周部と前記水栓ボディの外周部との間に所定の空間部を設けた状態で前記水栓ボディを被覆すると共に、
前記水栓ボディの外郭部のサイズが、前記外装部材に挿入可能なサイズとされていることを特徴とする。
【００３０】
請求項４の発明によっても、外装部材２００を一体的な略筒状体によって構成し、湯水混合水栓の外観のより一層の向上を図る。しかも、外装部材２００に対して、水栓ボディ１００を挿入する作業を円滑に行うことができるため、外装部材及び水栓ボディを組み付ける作業の円滑化を図ることができる。更に、外装部材２００の内周部２０３と水栓ボディ１００の外周部１０３との間に空間部（断熱用の空間部）２２０が確実に形成されるため、湯水混合水栓の安全性のより一層の向上を図ることができる。
【００３１】
請求項３及び４の発明の「外装部材」の外形は種々選択でき、略円筒形、「横断面が多角形の枠形状となる筒状体（以下、「多角形筒状体」という。）」等を例示できる。また、請求項４の発明において、「水栓ボディの外郭部のサイズが、外装部材に挿入可能なサイズとされている」とは次の場合等を指す。例えば、外装部材が上下に開口部を備える略筒状体によって構成される場合に、「外装部材の内部空間において外装部材の軸心を通過しつつ、横方向に計測される空間幅」が、「水栓ボディの横方向に沿った最大幅よりも大きくされていること」等を指す。そして、請求項４の発明において、「外装部材」が略円筒形とされる場合、この「〜空間幅」とは、この略円筒形の内周部の直径を指す。また、請求項４の発明において、この「水栓ボディの横方向に沿った最大幅」は、当該「水栓ボディ」において、装着部（湯側の装着部や水側の装着部）を含む部分の横幅として計測されてもよいし、「水栓ボディ」のその他の部分（装着部を含まない部分）の横幅として計測されてもよい。
【００３２】
また、請求項３及び４の発明の挿入部は、例えば、外装部材を肉厚方向に貫通する「挿入孔」を備える構成とされる。つまり、この挿入部は、図１４（ｂ）に示すように、単なる「挿入孔（外装部材を肉厚方向に貫通する単なる孔）２０１ａ、２０２ａ」のみによって構成されてもよいし、図１４（ａ）に示すように、「挿入孔２０１ａ、２０２ａ」と、「外装部材の外周部及び内周部のうちの少なくとも何れかにおいて、挿入孔２０１ａ、２０２ａの周縁部から突出する突出部の内部空間」と、を備える構成としてもよい。
【００３３】
尚、請求項２〜４の発明では、湯側の操作部の軸心（操作軸）及び水側の操作部の軸心（操作軸）が略平行であると、外装部材の装着作業や取り外し作業の作業性が高くなり、より好適である。つまり、請求項２及び請求項３に示すように、水栓ボディには、湯側及び水側の装着部（吐止水弁装置の装着部）が突出状に設けられることがあるが、湯側の操作部の軸心（操作軸）及び水側の操作部の軸心（操作軸）が略平行であると、両装着部の軸心方向も略平行となる。そして、外装部材を水栓ボディに装着する際に、両装着部を、外装部材の挿通孔や挿通用の切り欠き部等に対して、同一方向に挿通させればよいため（つまり、各装着部と、外装部材の内周部との干渉を避けるために、外装部材を、水栓ボディを基準に種々の方向に動かすことが必要なため）、外装部材を水栓ボディに装着する作業が容易であるからである。
【００３４】
請求項５の湯水混合水栓は、請求項３又は請求項４の何れかに記載の湯水混合水栓において、
前記湯側の装着部は、前記湯側の挿入部に対して隙間部を形成した状態で挿入され、前記水側の装着部は前記水側の挿入部に対して隙間部を形成した状態で挿入されると共に、
各隙間部には、安定化部材が前記外装部材の外側から嵌合されることを特徴とする。
【００３５】
請求項５の発明によると、水栓ボディと、外装部材とを組み付ける作業の作業性がより一層高くなると共に、湯側の操作部や水側の操作部を操作する際に、湯水混合水栓に、「がたつき」を生ずることを防止できる。つまり、各装着部と、対応する挿入部との間にはクリアランス部（隙間部）が設けられる。よって、請求項５の発明によると、各装着部を、対応する挿入部に挿入する作業をより円滑に行うことができるため、水栓ボディと、外装部材とを組み付ける作業の作業性がより一層高くなる。また、請求項５の発明によると、この「各装着部を対応する挿入部に挿入する作業」の後に、クリアランス部（隙間部）に安定化部材が嵌合される。よって、各操作部を操作する際に、水栓ボディと、外装部材との間で、「がたつき」を生ずることを防止できる。
【００３６】
ここで、安定化部材としては、略円筒状の外形を備える安定化部材（カラー状の安定化部材）を例示できる。つまり、クリアランス部（隙間部）の空間形状が、略円筒状の空間形状となる場合に、このクリアランス部（隙間部）に嵌合する「略円筒状の安定化部材」を例示できる。
【００３７】
請求項６の発明の湯水混合水栓は、請求項２乃至請求項５の何れかに記載の湯水混合水栓において、
前記水栓ボディの外周部において上下方向に沿った複数カ所には、該外周部を略周回する状態のスペーサ部材が各々装着されると共に、
各スペーサ部材の外周部が、前記外装部材の内周部と当接していることを特徴とする。
【００３８】
請求項６の発明によると、湯水混合水栓の上下方向に沿った複数カ所にスペーサ部材を配置し、水栓ボディの外周部（水栓ボディの外周部とは、水栓ボディの外面部のうちで、外周側に位置する部分を指す。）と、外装部材の内周部との間に、確実に空き空間を確保する。このため、水栓ボディの外周部と、外装部材の内周部との間に確実に断熱用の空気層が確保されることになる。よって、請求項６の発明によると、前記「火傷等を生ずる危険性」をより確実に無くすることができる。
【００３９】
ここで、スペーサ部材の形状としては、「略リング形状」、「略枠形状」の他に、「略リング形状の一部に切り欠き部を設けた形状（例えば、略Ｃ字形状）」や、「略枠形状の一部に切り欠き部を設けた形状（例えば、略コ字形状）」等を例示することができる。また、スペーサ部材の装着数や、装着位置も種々選択できる。例えば、スペーサ部材の装着数を２つとすると共に、一方を水栓ボディの上端部に装着し、他方を水栓ボディの下端部に装着する態様を例示できる。
【００４０】
請求項７の発明の湯水混合水栓は、請求項２乃至又は請求項６の何れかに記載の湯水混合水栓において、
前記湯側の装着部と、前記水側の装着部は、前記外装部材内に配置されることを特徴とする。
【００４１】
請求項７の発明によると、湯水混合水栓の外観がより一層、良好となる。つまり、請求項７の発明に従わない場合、湯水混合水栓の本体部分（つまり、水栓本体であって、湯水混合水栓から操作部等を取り除いた部分）の外面部から、湯側の装着部と、水側の装着部とが突出する。
【００４２】
一方、請求項７の発明では、湯水混合水栓の本体部分（水栓本体）を、（１）「内部流路を構成するための水栓ボディ」と、（２）「水栓ボディを被覆し、湯水混合水栓の外装部分を構成する外装部材」とを備える構成とする。つまり、湯水混合水栓の本体部分において、内部流路を形成する部材と、外装部分を構成する部材と、を別個に構成する。そして、湯側の装着部と、水側の装着部とを外装部材内に配置し、湯水混合水栓の外観として現れないようにすることができるため、湯水混合水栓の外観がより一層、良好となる。
【００４３】
請求項８の発明の湯水混合水栓は、請求項１乃至請求項７の何れかに記載の湯水混合水栓において、
前記湯側の操作部と前記水側の操作部とが、上下に並んだ状態に配置されていることを特徴とする。
【００４４】
請求項８の発明によると、「湯側の操作部及び水側の操作部の配置間隔」を、湯水混合水栓の周方向に沿って狭くできる。よって、湯水混合水栓の外観選択の自由度が、より一層、高められる。例えば、湯水混合水栓の外径をより一層、小さくして、スマートな外形を備える湯水混合水栓を得ることができる。
【００４５】
ここで、請求項８の発明において、「湯側の操作部と水側の操作部とが上下に並んだ状態に配置される」態様としては、先ず、（１）「湯側の操作部」及び「水側の操作部」を、鉛直上下方向に並べる態様を例示できる。具体的には、各操作部が、回動操作の施されるハンドルタイプの操作部である場合（つまり、ハンドルである場合）、「湯側の操作部の回動軸心」及び「水側の操作部の回動軸心」が、鉛直上下方向に所定の間隔をおいて並ぶ態様を例示できる。
【００４６】
この態様において、「湯側の操作部の回動軸心」及び「水側の操作部の回動軸心」を略平行とする態様が、より好適な態様となる。この態様によると、使用者は、「湯側の操作部」の操作と「水側の操作部」の操作とを、略同一態様（掌の角度等）にて操作できるため、各操作部の操作性がより一層、高くなる。
【００４７】
また、請求項８の発明では、この（１）の態様の他に、（２）「湯側の操作部」及び「水側の操作部」が、斜め上下方向に並ぶ場合も含まれる。例えば、各操作部が、回動操作の施されるハンドルタイプの操作部であって、湯水混合水栓が、複数の側面部を備える場合（例えば、湯水混合水栓の外形が略角柱状等とされる場合）には、１つの側面部において、「湯側の操作部の回動軸心」及び「水側の操作部の回動軸心」が斜め上下方向に所定の間隔をおいて並ぶ態様を例示できる。この態様においても、「湯側の操作部の回動軸心」及び「水側の操作部の回動軸心」を略平行とすることが望ましい。
【００４８】
請求項９の発明の湯水混合水栓は、請求項１乃至請求項８の何れかに記載の湯水混合水栓において、
前記吐水手段が上面部に配置されていることを特徴とする。
【００４９】
請求項９の発明によると、吐水手段を配置するための構造部分（例えば、流出路）を、水栓ボディの上下方向に沿った中間部に設ける必要がない。このため、水栓ボディの太さを、より一層、細くすることもできる。つまり、請求項９の発明によると、湯水混合水栓の太さに関する選択の自由度がより一層高くなるため、この湯水混合水栓の外観の選択の自由度も更に一層、高くなる。この吐水手段としては、例えば、吐水管、吐水装置（シャワーヘッド等の水ヘッドと、ホースとを備える吐水装置等）等を例示できる。また、吐水手段は、水栓ボディに対して、回転可能な状態に装着されてもよいし、回転不可能な状態に装着されてもよい。
【００５０】
請求項１０の発明の湯水混合水栓は、請求項９に記載の湯水混合水栓において、
前記湯側の流入路と、前記水側の流入路とが、前記水栓ボディの内部を下方から上方に向かう経路を備え、
前記湯側の流入路の２次側の端部と、前記水側の流入路の２次側の端部とが、前記水栓ボディの内部において高さの異なる位置に配置されると共に、
前記湯側の流入路の２次側の端部と、前記水側の流入路の２次側の端部とのうちで、下方に配置される一方の２次側の端部が、上方に配置される他方の２次側の端部に対して、水栓ボディの内部を下方から上方に向かう連絡路を用いて連絡され、
前記他方の２次側の端部に、前記流出路が連絡されることを特徴とする。
【００５１】
請求項１０の発明は、請求項９に記載の湯水混合水栓の「流路構造」の具体例を示すものである。この請求項１０の発明では、湯水混合水栓をその横断面の方向（横幅方向）に観察すると、この湯水混合水栓は、当該横断面の方向に２つの内部流路を並べた部分と、当該横断面の方向に、ただ１つの内部流路を配置した部分と、を備えるだけである。よって、湯水混合水栓の太さを、更により一層、細くすることもできる。つまり、請求項１０の発明によると、湯水混合水栓の外観の選択の自由度が更により一層、高くなる。
【発明の効果】
【００５２】
以上のように、本各発明によると、操作性や外観の選択の自由度を高めることができる湯水混合水栓が得られる。
【発明を実施するための最良の形態】
【００５３】
次に、本各発明に係わる「湯水混合水栓」の最良の形態（以下、「実施例」という。）を図面に従って詳細に説明する。
【００５４】
本湯水混合水栓１は、図１に示すように、デッキ部（台部）２の上面（デッキ面）２Ｄに設置して使用されるデッキタイプの湯水混合水栓１である。また、この湯水混合水栓１は、湯側のハンドル４１Ａと、水側のハンドル４１Ｂとを用いて、吐水止水の選択操作と、吐水量の調節操作と、吐水温度の調節操作とが実行される、所謂「２ハンドルタイプ」の湯水混合水栓１である。尚、デッキ面２Ｄは、「上向きの設置面」の具体例を示している。
【００５５】
この湯水混合水栓１は、図１に示すように、水栓本体Ｈと、湯側のハンドル４１Ａと、水側のハンドル４１Ｂと、吐水手段６０と、を備えている。また、水栓本体Ｈは、水栓ボディ１０と、この水栓ボディ１０に内蔵された湯側の吐止水弁装置５０Ａと、この水栓ボディ１０に内蔵された水側の吐止水弁装置５０Ｂと、水栓ボディ１０の下端部と一体化された取付部材７０と、スペーサ部材８０、８５と、外装部材３０と、カラー８６、８７とを備えている。
【００５６】
本実施例では、デッキ部（台部）２に設けられた取付孔３に対して、デッキ部（台部）２の上方から取付部材７０の下端部及び中間部が挿入されている（取付部材７０の下端部を先頭にして挿入する）。そして、デッキ部（台部）２の下方側において、取付部材７０の外周面の雄ネジ部７１に、固定ナット７２を螺合し、下方のスペーサ部材８５の下面部と、固定ナット７２の上面部（フランジ部）とで、デッキ部（台部）２を上下に挟持することで、（パッキンＰ、Ｐを介して挟持することで）、水栓ボディ１０がデッキ部（台部）２の上面（デッキ面）２Ｄに設置されている。
【００５７】
水栓ボディ１０は、鋳物を用いて構成される一体成型品であると共に、上端及び下端で開口する略筒形状（略円筒形状）に構成されている。また、この水栓ボディ１０は、その側面部（周面部）のうちで、使用者を基準とする右側方の側の部分に、２つの突出部１１、１２を備えている。これらの突出部１１、１２は、水栓ボディ１０の鉛直方向に沿って、所定の間隔をおいて設けられている。
【００５８】
両突出部１１、１２は、略円筒形状となりつつ、その軸心を水平方向に向けている。また、両突出部１１、１２は、その内部空間を水栓ボディ１０の内部空間に連通させつつ、開口部を、水栓ボディ１０の右側方に向けている。尚、以下の説明において、水栓ボディ１０の上方側に形成された突出部１１を、湯側の装着部１１ａと称し、水栓ボディ１０の上方側に形成された突出部１２を、水側の装着部１２ａと称することがある。
【００５９】
水栓ボディ１０の内部には隔壁部が形成され、この水栓ボディ１０の内部空間が、６つの空間部分１４ａ〜１４ｆに区画されている。つまり、水栓ボディ１０の内部には、水栓ボディ１０の上下方向中間部から下端部における空間部を、左右に分割するための縦側の隔壁部１３ａと、縦側隔壁部１３ａの左側に形成された空間部分１４ａの上端を封止するための蓋状隔壁部１３ｂと、縦側隔壁部１３ａの右側に形成された空間部分（１４ｂ、１４ｃ、１４ｅ）を上下に区画するための区画隔壁部１３ｃと、を備えている。
【００６０】
本実施例では、水栓ボディ１０の周壁部（外壁部）と、この水栓ボディ１０内に形成された隔壁部（縦側隔壁部１３ａ、蓋状隔壁部１３ｂ、区画隔壁部１３ｃ）とを用いて、水栓ボディ１０の内部空間を適宜、区画し、水栓ボディ１０内に内部流路等を構成している。つまり、水栓ボディ１０の内部空間のうちで、縦側隔壁部１３ａの左側に位置すると共に、蓋状隔壁部１３ｂで上端を封止された空間部分１４ａによって、湯側の流入路２１を構成する。また、水栓ボディ１０の内部空間のうちで、縦側隔壁部１３ａの右側に位置すると共に、区画隔壁部１３ｃの下方に位置する空間部分１４ｂによって、水側の流入路２２を構成する。
【００６１】
水栓ボディ１０の内部空間のうちで、縦側隔壁部１３ａの右側に位置すると共に、上方の突出部１１よりも下方で、下方の突出部１２よりも上方の部分に位置する空間部分１４ｃによって、連絡路２３を構成する。また、水栓ボディ１０の内部空間のうちで、蓋状隔壁部１３ｂよりも上方に位置する空間部分１４ｄによって流出路２４を構成する。
【００６２】
水栓ボディ１０の内部空間のうちで、縦側隔壁部１３ａの右側に位置すると共に水側の流入路２２と連絡路２３との間に位置する空間部分１４ｅによって、「水側の吐止水弁装置装着空間部２５」の奥側部分を構成している。つまり、この「水側の吐止水弁装置装着空間部２５」は、空間部分１４ｅと、水側の装着部１２ａの内部空間とを略円柱空間状に連続させて構成されている。そして、この「水側の吐止水弁装置装着空間部２５」と、水側の流入路２２の２次側の端部とは、区画隔壁部１３ｃに設けられた連通孔１５を介して連通している。また、「水側の吐止水弁装置装着空間部２５」と、連絡路２３の一次側の端部も上下方向に連通している。
【００６３】
水栓ボディ１０の内部空間のうちで、縦側隔壁部１３ａの右側に位置すると共に連絡路２３と、流出路２４の間に位置する空間部分１４ｆによって、「湯側の吐止水弁装置装着空間部２６」の奥側部分を構成している。つまり、この「湯側の吐止水弁装置装着空間部２６」は、空間部分１４ｆと、湯側の装着部１１ａの内部空間とを略円柱空間状に連続させて構成されている。そして、この「湯側の吐止水弁装置装着空間部２６」と、連絡路２３とは、上下方向に連通している。また、「湯側の吐止水弁装置装着空間部２６」と、流出路２４の１次側の端部も、上下方向に連通している。更に、湯側の流入路２１の２次側の端部と、「湯側の吐止水弁装置装着空間部２６」とは、縦側隔壁部１３ａの上端側に設けられた連通孔１６を介して連通している。
【００６４】
以上の各内部流路（湯側の流入路２１と、水側の流入路２２と、連絡路２３と、流出路２４）は、何れも、水栓ボディ１０の下方から上方へ向かう経路を備えている。また、湯側の流入路２１及び水側の流入路２２が、１次側の端部を、水栓ボディ１０の下面部に配置しつつ、水栓ボディ１０の上方へ向かう略平行な経路を描いている。更に、湯側の流入路２１の「２次側の端部の位置（上方の突出部１１と横方向に位置合わせされる位置）」が、水側の流入路２２の「２次側の端部の位置（下方の突出部１２と横方向に位置合わせされる位置）」よりも上方に配置されている。更に、水側の流入路２２の２次側の端部と、湯側の流入路２１の２次側の端部とが、上方に向かう連絡路２３を介して連絡されている。そして、湯側の流入路２１の２次側の端部及び連絡路２３の２次側の端部が、流出路２４に連絡されている。
【００６５】
つまり、本水栓ボディ１０をその横断面の方向（横幅方向）に観察すると、本水栓ボディ１０は、（１）「当該横断面の方向に２つの内部流路を並べた部分（湯側の流入路２１及び水側の流入路２２を並べた部分と、湯側の流入路２１及び連絡路２３を並べた部分）」と、（２）「当該横断面の方向に、ただ１つの内部流路を配置した部分（流出路２４を形成した部分）」と、を備えるだけである。しかも、何れの内部流路も、水栓ボディ１０の下方から上方へ向う単純な略直線状の経路を描くため（殆ど、迂回する経路部分を備えないため）、水栓ボディ１０の外径を細くして、水栓ボディ１０のコンパクト化を図ることができる。
【００６６】
水栓ボディ１０の下面部には、２つの接続部（接続口）１７ａ、１７ｂが開口している。このうち一方の接続部（使用者から見て左側の接続部）１７ａは、湯側の流入路２１の１次側の端部を構成し、他方の接続部（使用者から見て右側の接続部）１７ｂは、水側の流入路２２の１次側の端部を構成する。そして、一方の接続部１７ａには、湯側の連結具１８ａを介して給湯管５Ａの端末部が接続され、他方の接続部１７ｂには、水側の連結具１８ｂを介して給水管５Ｂの端末部が接続されている。
【００６７】
図３に示すように、湯側の装着部１１ａの内壁面には雌ネジ部１１ｂが設けられている。そして、湯側の吐止水弁装置５０Ａは、外周面の雄ネジ部５１ｅを雌ネジ部１１ｂに螺合することによって湯側の装着部１１ａに固定されている。また、図４に示すように、水側の装着部１２ａの内壁面にも雌ネジ部１２ｂが設けられている。そして、水側の吐止水弁装置５０Ｂも、外周面の雄ネジ部５１ｅを雌ネジ部１２ｂに螺合することによって水側の装着部１２ａに固定される。そして、水栓ボディ１０に固定された湯側の吐止水弁装置５０Ａ及び水側の吐止水弁装置５０Ｂは、図１に示すように、水栓ボディ１０の外面部（外壁部）のうちで、右側方（使用者を基準）の側に位置する部分に配置されると共に、各軸心（回動軸心）の位置を鉛直上下方向に所定の間隔をおいて平行な状態としている。尚、湯側の吐止水弁装置５０Ａ及び水側の吐止水弁装置５０Ｂの詳細に関しては後述する。
【００６８】
水栓ボディ１０の外面部のうちで、上端寄りの部分（流出路２４の外側に位置する部分）と、水栓ボディ１０の外面部のうちで、下端寄りの部分（接続部１７ａ、１７ｂの外側に位置する部分）には、各々、雄ネジ部１９ａ、１９ｂが形成されている。そして、上方の雄ネジ部１９ａには、上方のスペーサ部材８０の雌ネジ部８０ａの全体が螺合され、下方の雄ネジ部１９ｂには、下方のスペーサ部材８５の雌ネジ部８５ａの上半側が螺合されている。
【００６９】
ここで、各スペーサ部材８０、８５は略リング形状とされると共に、両スペーサ部材８０、８５の外径は等しくされている。但し、上方に位置するスペーサ部材８０は、その外周面の上端側から鍔部８０ａを突出させ、下方に位置するスペーサ部材８５は、その外周面の下端側から鍔部８５ａを突出させている。また、各スペーサ部材８０、８５は、内部空間に水栓ボディ１０を挿入した状態で、この水栓ボディ１０に螺合固定されている。尚、本実施例では、水栓ボディ１０の上下両端側の外径が異なったものとされているが、水栓ボディ１０の上下両端側に「外径が等しいスペーサ部材８０、８５」を装着するため、この水栓ボディ１０に対して、単純形状（略円筒形状）の外装部材３０を装着することができる。
【００７０】
取付部材７０は、水栓ボディ１０の下端部に連結されている。この取付部材７０は、略円筒形状に構成されると共に、外径を水栓ボディ１０の下端部の外径と略等しくしている。この取付部材７０は、外周面の略全域に雄ネジ部７１を形成すると共に、この雄ネジ部７１の上端側を、下方のスペーサ部材８５の雌ネジ部８５ａの下半側が螺合することで、水栓ボディ１０の下端部に連結されている。このように、連結された取付部材７０の軸心は、水栓ボディ１０の下端部の軸心と位置合わせされている。この取付部材７０の内部に、前述の「湯側の連結具１８ａ及び給湯管５Ａの端末部」と、「水側の連結具１８ｂ及び給水管５Ｂの端末部」とが挿通されている。そして、本実施例では、水栓ボディ１０の下端部と一体化された取付部材７０を用いて、水栓ボディ１０を、デッキ部（台部）２上に設置している。
【００７１】
外装部材３０は、金属を用いて構成されるものであり、図１に示すように、上下方向（軸心方向）に長尺状の略円筒体（略パイプ形状）を用いて構成されると共に、上端と下端に開口部３０ａ、３０ｂを有し、軸心を略鉛直方向に向けて配置されている。この外装部材３０の内径は、両スペーサ部材８０、８５の外径と略等しくされている。また、外装部材３０の軸心長（長手幅）は、両スペーサ部材８０、８５の配置間隔と略等しくされている。
【００７２】
この外装部材３０の外面部（周面部）において、軸心方向に沿って所定の間隔をおいた部位には、挿入孔（挿通孔）３３、３４が設けられている。この両挿入孔３３、３４の配置間隔は、湯側の装着部１１ａ及び水側の装着部１２ａの配置間隔と等しくされている。つまり、両挿入孔３３、３４の軸心位置の間隔は、湯側の装着部１１ａ及び水側の装着部１２ａの各軸心位置の間隔と等しくされている。
【００７３】
また、図３及び図４に示すように、外装部材３０の外面部（周面部）において、各挿通孔３３、３４の周縁側の部位（各挿通孔３３、３４を取り囲む部位）からは、突出部３３ａ、３４ａが突出している（外装部材３０の半径外側方向に突出している）。そして、外装部材３０の上方側において連続する「挿通孔３３と、突出部３３ａの内部空間」によって、「湯側の挿入部３３Ａ」の具体例を構成し（図３を参照）、外装部材３０の下方側において連続する「挿通孔３４と、突出部３４ａの内部空間」によって、「水側の挿入部３４Ａ」の具体例を構成している。
【００７４】
「湯側の挿入部３３Ａ」は、湯側の装着部１１ａを、遊びを持った状態で挿通可能なサイズとされ（図３参照）、「水側の挿入部３４Ａ」は、水側の装着部１２ａを、遊びを持った状態で挿通可能なサイズとされている（図４参照）。つまり、「湯側の挿入部３３Ａ」と、これに挿入される湯側の装着部１１ａとの間には、略円筒状の隙間部３３Ｂが形成され、この隙間部３３Ｂには、略円筒状のカラー８６が嵌合されている。また、「水側の挿入部３４Ａ」と、これに挿入される水側の装着部１２ａとの間にも、、略円筒状の隙間部３４Ｂが形成され、この隙間部３４Ｂにも、略円筒状のカラー８７が嵌合されている。
【００７５】
本実施例では、水栓ボディ１０が、外装部材３０の装着方向（本実施例では、上下方向）と交差する方向（本実施例では、略直交する方向）に複数の突出部１１、１２（湯側の装着部１１ａ、水側の装着部１２ａ）を備える。つまり、水栓ボディ１０が、外装部材３０を装着する際に、干渉物（障害物）となる突出部１１、１２（湯側の装着部１１ａ、水側の装着部１２ａ）を、複数箇所に有している。しかし、複数の突出部１１、１２（湯側の装着部１１ａ、水側の装着部１２ａ）が、突出部１１、１２（湯側の装着部１１ａ、水側の装着部１２ａ）の突出方向が同一方向となるため、水栓ボディ１０に対する外装部材３０の装着を円滑に行うことができる。
【００７６】
また、このように、外装部材３０が水栓ボディ１０に装着されると、外装部材３０の内面部（内壁部）と、水栓ボディ１０の外面部（側面部）との間に空間部Ｋが形成される。つまり、本実施例では、水栓ボディ１０の上端部側に、スペーサ部材８０を装着し（この上端部側と略同軸状に装着し）、水栓ボディ１０の下端部側に、スペーサ部材８５を装着する（下端部側と略同軸状に装着する）。そして、この状態の下、外装部材３０がスペーサ部材８０、８５を外嵌する状態となるようにしつつ、この外装部材３０を装着するため、外装部材３０の軸心位置と、水栓ボディ１０の軸心位置と位置合わせすることができる。
【００７７】
このため、空間部Ｋの幅（外装部材３０の半径方向に沿った幅）は、水栓ボディ１０を周回する方向に沿って略一定とされる。よって、外装部材３０との水栓ボディ１０との間には、水栓ボディ１０の全周部分を通じて、十分な大きさの空気層が形成される。従って、本実施例では、水栓ボディ１０の周囲を外装部材３０を覆うばかりか、外装部材３０の内側に十分な大きさの空気層を形成するため、水栓ボディ１０の表面部の熱が、湯水混合水栓１の表面部（外装部材３０の表面部）により一層、伝達し難くなる。このため、本実施例によると、湯水混合水栓１の安全性がより一層、高められる。
【００７８】
更に、本実施例では、水栓本体Ｈが、内部流路を構成するための水栓ボディ１０と、この水栓ボディ１０を被覆し、湯水混合水栓１の外装部分を構成する外装部材３０と、を備える構成とされる。そして、水栓ボディ１０の外面部から各々突出する「湯側の装着部１１ａ及び水側の装着部１２ａ」を外装部材３０内に配置し、湯水混合水栓１の外観として現れないようにするため、湯水混合水栓１の外観がより一層、向上している。
【００７９】
吐水手段６０は、図１及び図２（ａ）に示すように、水栓ボディ１０の上面部に回動可能な状態に配置されている。ここで、本実施例では、吐水手段６０を吐水管によって構成するが、吐水手段６０の態様はこれに限定されない。例えば、ホースと、このホースの端末に接続される吐水具（シャワーヘッド等）とを備える吐水手段を例示することもできる。尚、図１は、吐水手段６０を左回転方向（遊技者を基準）に「９０度」だけ、回転させた状態を示している。
【００８０】
吐水手段６０は、図１に示すように、水栓ボディ１０の上面部に回転支持部材６１を介して装着されている。この回転支持部材６１は略円筒形状に構成されると共に、水栓ボディ１０において上方のスペーサ部材８０の装着部位よりも、上方の部位に回転可能な状態に外嵌されている。
【００８１】
吐水手段６０は、図１に示すように、その基端部を回転支持部材６１の上面部に一体化している。この吐水手段６０の基端部は、回転支持部材６１の中空部の上端側開口部６１ｂと連通しつつ、この上端側開口部６１ｂを封止している。このため、吐水手段６０を、回転支持部材６１と一体で水栓ボディ１０に装着すると、流出路２４の２次側の端部と、吐水手段６０の内部空間（吐水用流路である。）とが水密状に連通する。
【００８２】
回転支持部材６１には、図２（ｂ）に示すように、その半径方向に沿って装着孔６１ａが設けられ、この装着孔６１ａには回転規制部材６２が装着されている。ここで、本実施例では、この回転規制部材６２をビスを用いて構成している。そして、この回転支持部材６１を装着孔６１ａに対して、回転支持部材６１の半径方向外側から螺合装着すると、回転規制部材６２の軸部の端部６２ａが、回転規制部材６２の内壁面から突出する。つまり、この回転規制部材６２の軸部の端部６２ａは、回転支持部材６１の内壁面から、回転支持部材６１の半径内側方向に突出し、回転規制突起ｔを構成する。そして、水栓ボディ１０において回転支持部材６１を装着した際に、回転支持部材６１の半径方向に沿って、回転規制突起ｔと位置合わせされる部位には、略円弧状の規制溝Ｍが形成されている。
【００８３】
吐水手段６０を回転支持部材６１と一体で水栓ボディ１０に装着し、吐水手段６０を左右何れかの方向に回転させると、回転規制突起ｔは規制溝Ｍ内を移動する。そして、回転規制突起ｔの回転量が所定量となり、回転規制突起ｔと、規制溝Ｍの端部（端部壁Ｍ１若しくはＭ２）とが当接すると、吐水手段６０の回転量が、当該「所定量」を超えることが規制される。
【００８４】
次に、図５〜図９等を用いて吐止水弁装置５０Ａ（５０Ｂ）の構造等について簡単に説明する。ここで、湯側の吐止水弁装置５０Ａ及び水側の吐止水弁装置５０Ｂは、同一の構造を備える摺動弁装置を用いて構成されている。そして、図５では、湯側の吐止水弁装置５０Ａのみ図示し、水側の吐止水弁装置５０Ｂの図示を省略する。
【００８５】
これらの吐止水弁装置５０Ａ（５０Ｂ）は、図５に示すように、ハウジング５１と、スピンドル５２と、固定ディスク５３と、可動ディスク５５とを備えている。このうち、ハウジング５１は、前後両端に開口部５１ａ、５１ｂを有する略筒状に構成されると共に、ハウジング本体５１ｃと、ハウジング本体５１ｃの後端に着脱自在に装着されるリング部材５１ｄとを備える。
【００８６】
ハウジング本体５１ｃの外周面のうちで、前後方向に沿った中間の部位からは、フランジ部５１ｐが突出している。更に、ハウジング本体５１ｃの外周面のうちで、フランジ部５１ｐの後方の部位には、装着部１１ａ（１２ａ）の雌ネジ部１１ｂ（１２ｂ）に螺合可能な雄ネジ部５１ｅが設けられている。また、ハウジング本体５１ｃの外周面のうちで、雄ネジ部５１ｅの後方の部位には、ハウジング本体５１ｃの内外を連通させる開口孔５１ｍが設けられている。尚、この開口孔５１ｍは、ハウジング本体５１ｃの周方向に沿った２カ所に設けられている。
【００８７】
ハウジング本体５１ｃにおいて、フランジ部５１ｐよりも前方の部位が、スピンドル５２を回動可能に支持するための軸受け部５１ｎを構成する。尚、ハウジング５１前端の開口部５１ａは、軸受け部５１ｎの前端に設けられ、ハウジング５１後端の開口部５１ｂは、リング部材５１ｄに設けられる。
【００８８】
リング部材５１ｄの表裏面（前面及び後面）には、開口部５１ｂを周回状に抱囲する周回溝が設けられ、これらの周回溝には、それぞれ、リング状のパッキン５１ｆ、５１ｇが装着されている。
【００８９】
スピンドル５２は、前半部を構成する軸部５２ａと、後半部を構成する駆動伝達部５２ｂとを備えている。そして、軸部５２ａの一端側の外周面には、雄型のセレーション部５２ｃが設けられ、この外周面においてセレーション部５２ｃの後方側の部位には複数の周回溝が設けている。また、これらの周回溝のそれぞれには、リング状のパッキン５２ｇが装着されている。更に、駆動伝達部５２ｂの後端部は、横断面が略矩形状の係合突起５２ｄとされている。
【００９０】
このスピンドル５２は、セレーション部５２ｃを開口部５１ａによってハウジング５１（ハウジング本体５１ｃ）の前方に露呈させると共に、パッキン５２ｇを軸受け部５１ｎの内壁に摺接させた状態で、ハウジング５１に組み込まれている。
【００９１】
固定ディスク５３はセラミックを用いて構成されると共に、図６（ａ）に示すように、略円板形状を備える。この固定ディスク５３は、前面（上面）を可動ディスク５５が摺動する摺動面５３ａとし、後面（下面）を前述のリング部材５１ｄの前面によって支持されている。この固定ディスク５３は、上下面を貫通する状態に、２つの通過孔５３ｃを備えている。そして、これらの通過孔５３ｃは、固定ディスク５３の周方向に沿って略１８０度隔てた位置に設けられると共に、平面形状が略扇形状とされている。
【００９２】
この固定ディスク５３の外周面において周方向に沿って略１８０度隔てた位置には、それぞれ位置決め突起５３ｄが設けられている。そして、この固定ディスク５３は摺動面５３ａを前方を向け、「反」摺動面５３ａ側の面（後面）を後方に向けた状態で、ハウジング本体５１ｃの後端からハウジング本体５１ｃ内に挿入されている。このとき、２つの位置決め突起５３ｄが、ハウジング本体５１ｃの内壁の係止部（図示を省略するが、例えば、溝状のもの）に係止され、固定ディスク５３の軸心回りの位置決めがなされる。
【００９３】
このように、固定ディスク５３がハウジング本体５１ｃに挿入された状態でリング部材５１ｄがハウジング本体５１ｃの後端に装着されているが、図５に示すように、リング部材５１ｄ表面側の「リング状のパッキン５１ｆ」が、「反」摺動面５３ａ側の面（後面）の周縁側の部位に水密状に圧接される。このとき、固定ディスク５３の通過孔５３ｃは、リング部材５１ｄの開口部５１ｂを通じて、ハウジング５１の後方へ開放された状態とされる。
【００９４】
可動ディスク５５もセラミックを用いて構成されると共に、図６（ｂ）及び（ｃ）に示すように、平面形状が略長円型の板状体に構成されている。この可動ディスク５５は、前面（上面）を係合面５５ａとし、後面（下面）を「固定ディスク５３の摺動面５３ａ」と摺動する摺動面５５ｂとしている。また、図６（ｃ）、図７（ａ）及び（ｂ）に示すように、可動ディスク５５の各長辺に沿う部位に切り欠き状の連通路５５ｃが設けられている。この連通路５５ｃは、可動ディスク５５において、摺動面５５ｂと外周面とで開口するが、係止面５５ａでは開口しない。つまり、可動ディスク５５の各長辺に沿って設けられた２つの連通路５５ｃは、それぞれ、摺動面５５ｂにおいて略Ｖ字状に開口すると共に、可動ディスク５５の外周面において略矩形状に開口している。
【００９５】
可動ディスク５５の係合面５５ａには、平面形状が略矩形状（長尺型の略矩形状である。）の係合穴５５ｄが、可動ディスク５５の前方（上方）に開口している。この係合穴５５ｄには、前述のスピンドル５２の係合突起５２ｄが嵌合（係合）可能とされている。そして、この可動ディスク５５は、固定ディスク５３と互いの摺動面５５ｂ、５３ａを当接させ、しかも、可動ディスク５５の軸心を固定ディスク５３の軸心と同軸状に位置合わせした状態でハウジング５１内に収納されている。
【００９６】
但し、本実施例では、図５に示すように、ハウジング５１内に収納される可動ディスク５５と、スピンドル５２との間にディスク押さえ５６を配置している。このディスク押さえ５６は、図６（ｃ）及び図７（ｃ）に示すように、略円板状に構成されると共に、後面（下面）において略１８０隔てた位置から「ディスク把持用の突起５６ａ」を垂下させている。これらの突起５６ａは、平滑な把持面５６ｂを相互に対向させている。そして、この対向する２つの把持面５６ｂの距離は、可動ディスク５５の長辺間の距離と等しくされている。また、ディスク押さえ５６には略矩形状の貫通孔５６ｃが上下面を貫通する状態に設けられている。この貫通孔５６ｃは、把持面５６ｂと略平行に形成されている。
【００９７】
可動ディスク５５は、図６（ｃ）等に示すように、その係合面５５ａの側をディスク押さえ５６で把持されている。つまり、ディスク押さえ５６の後面（下面）と、可動ディスク５５の係合面５５ａとを当接させると共に、２つのディスク把持用の突起５６ａの把持面５６ｂで可動ディスク５５の長辺側の側面部を把持した状態とされる。そして、可動ディスク５５の係合穴５５ｄは貫通孔５６ｃを通じてディスク押さえ５６の前方（上方）に開放される。そして、この状態にて係合穴５５ｄには、貫通孔５６ｃを通じてディスク押さえ５６の前方から係合突起５２ｄが係合（嵌合）されている。
【００９８】
各吐止水弁装置５０Ａ、５０Ｂでは、図５に示すように、スピンドル５２と、可動ディスク５５と、この可動ディスク５５を把持するディスク押さえ５６と、固定ディスク５３とが、同軸状とされつつ、ハウジング５１に収納されている。尚、スピンドル５２の軸部５２ａにおいて、雄型のセレーション部５２ｃと、リング状のパッキン５２ｇとの間の部位には周回溝が設けられ、この周回溝にはＥリング５８が弾性係合されている。
【００９９】
両吐止水弁装置５０Ａ、５０Ｂが水栓ボディ１０に装着されると、両吐止水弁装置５０Ａ、５０Ｂを構成するスピンドル５２が、水栓ボディ１０（外装部材３０）の鉛直上下方向に所定の間隔をおいて略平行に配置される。つまり、両吐止水弁装置５０Ａ、５０Ｂを構成するスピンドル５２が、水栓ボディ１０を基準に、鉛直上下方向に隔てた位置で、同一の方向を指向する状態となる。
【０１００】
図３に示すように、湯側の吐止水弁装置５０Ａの右側方に露呈するスピンドル５２の雄型のセレーション部５２ｃには、湯側のハンドル４１Ａの雌型のセレーション部４１ａがセレーション嵌合されている。このため、湯側のハンドル４１Ａは、湯側の吐止水弁装置５０Ａのスピンドル５２と一体回動可能となっている。また、図４に示すように、水側の吐止水弁装置５０Ｂの右側方に露呈するスピンドル５２の雄型のセレーション部５２ｃには、水側のハンドル４１Ｂの雌型のセレーション部４１ｂがセレーション嵌合されている。このため、水側のハンドル４１Ｂは、水側の吐止水弁装置５０Ｂのスピンドル５２と一体回動可能となっている。この状態で、湯側のハンドル４１Ａの回動軸心と、水側のハンドル４１Ｂの回動軸心とは、鉛直上下方向に隔てた位置で、同一の方向を指向する状態となる。
【０１０１】
湯側の吐止水弁装置５０Ａが水栓ボディ１０（湯側の吐止水弁装置装着空間部２６）に装着されると、図３に示すように、吐止水弁装置５０Ａの後端部（リング部材５１ｄの後端部）が、縦側隔壁部１３ａと当接する。このとき、縦側隔壁部１３ａの連通孔１６と、リング部材５１ｄ（ハウジング５１の後端の開口部５１ｂ）が位置合わせされ、湯側の流入路２１と、吐止水弁装置５０Ａの内部空間とが連通する。尚、吐止水弁装置５０Ａの後端部と、隔壁部１３ａとの水密性は、リング部材５１ｄの裏面（後面）側のパッキング５１ｇによって保持される。
【０１０２】
同様に、水側の吐止水弁装置５０Ｂが水栓ボディ１０（水側の吐止水弁装置装着空間部２５）に装着されると、図４に示すように、吐止水弁装置５０Ｂの後端部（リング部材５１ｄの後端部）が、縦側隔壁部１３ａと当接する。このとき、縦側隔壁部１３ａの連通孔１６と、リング部材５１ｄ（ハウジング５１の後端の開口部５１ｂ）が位置合わせされ、水側の流入路２２と、吐止水弁装置５０Ｂの内部空間とが連通する。尚、吐止水弁装置５０Ｂの後端部と、隔壁部１３ａとの水密性も、リング部材５１ｄの裏面（後面）側のパッキング５１ｇによって保持される。
【０１０３】
本実施例では、各ハンドル４１Ａ（４１Ｂ）に開放操作を施すと、図８（ａ）に示すように、スピンドル５２の回転駆動力がディスク押さえ５６と、可動ディスク５５に伝達される。これにより、可動ディスク５５は、固定ディスク５３上で摺動し、各吐止水弁装置５０Ａ（５０Ｂ）の流路の開閉を行う。尚、各吐止水弁装置５０Ａ（５０Ｂ）流路は、通過孔５３ｃと、連通路５５ｃとで構成される。
【０１０４】
各吐止水弁装置５０Ａ（５０Ｂ）では、図８（ｂ）に示すように、固定ディスク５３の通過孔５３ｃが摺動面５３ａの側で閉鎖されると閉弁状態となる。つまり、「通過孔５３ｃの摺動面５３ａ側の開口」が、「可動ディスク５５における連通路５５ｃの非形成部」で閉鎖されている場合、各吐止水弁装置５０Ａ（５０Ｂ）は閉弁状態となる。一方、可動ディスク５５を固定ディスク５３上で摺動状態で回転させ、図８（ｃ）に示すように、通過孔５３ｃと連通路５５ｃとを連通させると、各吐止水弁装置５０Ａ（５０Ｂ）は開弁状態となる。このときの各吐止水弁装置５０Ａ（５０Ｂ）の開弁度（弁開放量）は、「通過孔５３ｃの摺動面５３ａ側の開口」の開放面積に比例して決定される。
【０１０５】
本湯水混合水栓１において、水側のハンドル４１Ｂに開放操作を施し、水側の吐止水弁装置５０Ｂを開弁状態とし、湯側のハンドル４１Ａに閉鎖操作を施し、湯側の吐止水弁装置５０Ａを閉弁状態とすると、給水管５Ｂから供給される「水」が、吐水手段６０から吐水される。つまり、給水管５Ｂ、水側の連結具１８ｂの順に通過し、水側の流入路２２に流入した水は、連通孔１５を通じて水側の吐止水弁装置５０Ｂに流入する。そして、水側の吐止水弁装置５０Ｂに流入した水は、連絡路２３を通過し、更に、「湯側の吐止水弁装置装着空間部２６」の奥側部分のうちで、湯側の吐止水弁装置５０Ａの外側に位置する部位１４ｇ（以下、「通過用の空間部１４ｇ」という。）に進入する（図９を参照）。
【０１０６】
この通過用の空間部１４ｇは、一次側の端部を連絡路２３の２次側の端部に接続すると共に、湯側の吐止水弁装置５０Ａの外側を、左右両回転方向に略半周回する経路を描き、２次側の端部を、流出路２４の１次側の端部に接続している。このため、連絡路２３から通過用の空間部１４ｇに進入した水は、流出路２４を通過した後、吐水手段６０から吐水される。このときの吐水量は、水側の吐止水弁装置５０Ｂの開弁度（弁開放量）に応じて調節される。
【０１０７】
本湯水混合水栓１において、水側のハンドル４１Ｂに閉弁操作を施し、水側の吐止水弁装置５０Ｂを閉弁状態とすると共に、湯側のハンドル４１Ａに開放操作を施し、湯側の吐止水弁装置５０Ａを開弁状態とすると、給湯管５Ａから供給される「湯」が、吐水手段６０から吐水される。つまり、給湯管５Ａ、湯側の連結具１８ａの順に通過し、湯側の流入路２１に流入した湯は、連通孔１６を通じて湯側の吐止水弁装置５０Ａに流入する。そして、湯側の吐止水弁装置５０Ａに流入した湯は、流出路２４を通過した後、吐水手段６０から吐水される。このときの吐水量は、湯側の吐止水弁装置５０Ａの開弁度（弁開放量）に応じて調節される。
【０１０８】
本湯水混合水栓１において、水側のハンドル４１Ｂに開弁操作を施し、水側の吐止水弁装置５０Ｂを開弁状態とし、湯側のハンドル４１Ａに開放操作を施し、湯側の吐止水弁装置５０Ａを開弁状態とすると、給水管５Ｂから供給される「水」と、給湯管５Ａから供給される「湯」とを、混合した混合水が吐水手段６０から吐水される。つまり、通過用の空間部１４ｇから流出路２４に進入した水と、湯側の吐止水弁装置５０Ａから流出路２４に進入した湯とが、当該流出路２４において混合された後、吐水手段６０から吐水される。このときの吐水量は、水側の吐止水弁装置５０Ｂの開弁度（弁開放量）及び湯側の吐止水弁装置５０Ａの開弁度（弁開放量）に応じて調節される。また、吐水温度は、水側の吐止水弁装置５０Ｂの開弁度（弁開放量）と、湯側の吐止水弁装置５０Ａの開弁度（弁開放量）との比率に応じて調節される。
【０１０９】
以上のように構成される湯水混合水栓１においては、図１０（ａ）に示すように、水栓ボディ１０における横方向に沿った最大幅Ｑ１は、外装部材３０の内周部の直径Ｑ２よりも小さくされている。このため、水栓ボディ１０の外郭部のサイズが、外装部材３０に挿入することが可能なサイズとされている。尚、本実施例において、「水栓ボディ１０における横方向に沿った最大幅Ｑ１」は、水栓ボディ１０において、湯側の装着部１１ａの含む部分の幅によって構成されると共に、水側の装着部１２ａの含む部分の幅によっても構成される。
【０１１０】
次に、本湯水混合水栓１を構成する部品の組付の手順の一具体例を、図１０等を用いて説明する。先ず、水栓ボディ１０に対して、何れか一方のスペーサ部材（８０若しくは８５）を装着する。この後、水栓ボディ１０の上端部及び下端部のうちで、「スペーサ部材（８０若しくは８５）が未装着の端部」を先頭にし、水栓ボディ１０を外装部材３０内に挿入する。この際、図１０（ａ）に示すように、水栓ボディ１０の基準位置１０Ｐと、外装部材３０の軸心３０Ｐとの間に、横方向（外装部材３０の半径方向）に沿った位置ずれを生じさせる。この「位置ずれ」を生じさせることにより、湯側の装着部１１ａや水側の装着部１２ａが、外装部材３０の端面や、外装部材３０の内周部と干渉すること（衝突すること）が回避され、水栓ボディ１０を外装部材３０内に円滑に挿入することができる。
【０１１１】
次いで、外装部材３０を横方向にスライドさせるか、水栓ボディ１０を横方向にスライド（以下、「横スライド」という。）させる。この横スライドは、湯側の装着部１１ａを「湯側の挿入部３３Ａ」に挿入すると共に、水側の装着部１２ａを「水側の挿入部３４Ａ」に挿入するために行われる。そして、この横スライドは、水栓ボディ１０の基準位置１０Ｐと、外装部材３０の軸心３０Ｐとの間の「位置ずれ」を解消するまで（基準位置１０Ｐが、軸心３０Ｐ上に到達するまで）行われる。
【０１１２】
この横スライド完了すると、水栓ボディ１０の外周部と、外装部材３０の内周部との間には、外装部材３０の内周部の周方向に沿って略均一な幅を備える空間空間部Ｋが形成される。そして、水栓ボディ１０の上端部及び下端部のうちで、「スペーサ部材（８０若しくは８５）が未装着の端部」に、スペーサ部材（８５若しくは８０）を装着する。これにより、外装部材３０の上下両端部（両端面）は、上方に位置するスペーサ部材８０の鍔部８０ａと、下方に位置するスペーサ部材８５の鍔部８５ａとで挟み込まれた状態となる。
【０１１３】
また、水栓ボディ１０の基準位置１０Ｐと、外装部材３０の軸心３０Ｐとの間の「位置ずれ」が解消されたところで、図１０（ｂ）に示すように、「湯側の挿入部３３Ａ」と、これに挿入される湯側の装着部１１ａとの間には、略円筒状の隙間部３３Ｂが形成され、「水側の挿入部３４Ａ」と、これに挿入される水側の装着部１２ａとの間にも、隙間部３４Ｂが形成される。そして、これらの隙間部３３Ｂ、３４Ｂには、対応するカラー８６、８７が外装部材３０の外部から嵌合される。
【０１１４】
この後、図１０（ｃ）に示すように、外装部材３０の外側から、「湯側の装着部１１ａに対して湯側の吐止水弁装置５０Ａ」を装着し、「水側の装着部１２ａに対して水側の吐止水弁装置５０Ｂ」を装着する。そして、湯側のハンドル４１Ａを湯側の吐止水弁装置５０Ａに装着し、水側のハンドル４１Ｂを水側の吐止水弁装置５０Ｂに装着する。更に、吐水手段６０等の他の部品を装着すると、本湯水混合水栓１は使用可能な状態となる。
【０１１５】
以上の実施例によると、湯側のハンドル４１Ａと水側のハンドル４１Ｂとが、鉛直上下方向に並んだ状態に配置されるため、各ハンドル４１Ａ、４１Ｂの操作性が高くなる。具体的には、使用者は、上下に並ぶ、２つのハンドル４１Ａ、４１Ｂを片方の手で操作すること等ができるため、各ハンドル４１Ａ、４１Ｂの操作性、ひいては、湯水混合水栓１の操作性が高くなる。また、本実施例によると、水栓本体Ｈの上面部に、湯側のハンドル４１Ａと水側のハンドル４１Ｂとを配置する必要がないため、水栓本体Ｈの幅を必ずしも、大きくする必要がない。つまり、水栓本体Ｈを幅の狭く、縦長形状とすることができる。従って、本実施例によると、湯水混合水栓１の外観の選択の自由度が高められる。
【０１１６】
特に、本実施例では、水栓ボディ１０の外径（水栓ボディ１０の外形を略円柱状と仮定した場合）を、外装部材３０の内径よりも僅かに小さく構成し、外装部材３０に水栓ボディ１０を挿入してから、外装部材３０の各挿入部３３Ａ、３４Ａ」に各装着部１１ａ、１２ａを横スライドしながら挿入する構造を採用するため、従来の「両側方にハンドルがある湯水混合水栓」よりも、水栓ボディ１０を細くすることができる。そして、従来の「両側方にハンドルがあり、水栓ボディ１０が太く、見栄えが悪い湯水混合水栓」に比べて、水栓ボディ１０を細くすることができるため、湯水混合水栓としての美観が向上する。また、本湯水混合水栓１は、スリムな外形を備えるため、デッキ面４Ｄ（設置面）に対する設置面積を小さくできる。
【０１１７】
更に、外装部材３０を、水栓ボディ１０に対して横スライドさせることで、水栓ボディ１０の湯流路（湯側の流入路２１等）と、外装部材３０との間に空間部Ｋを確保できる。このため、湯流路（湯側の流入路２１等）を通過する湯の熱が、湯水混合水栓１の表面部に伝わり難くなるという、効果も得られる。
【０１１８】
尚、本各発明の範囲は前記各実施例に示す具体的な態様に限定されず、本各発明の範囲内で種々の変形例を例示できる。
【０１１９】
即ち、本実施例では、湯側のハンドル４１Ａと水側のハンドル４１Ｂとを、鉛直上下方向に並べる態様を例示したが、湯側のハンドル４１Ａの回転軸心の方向と、水側のハンドル４１Ｂの回転軸心の方向との間に、４５度以内の範囲（ゼロ度を含まない。）、好ましくは、３０度以内の範囲（ゼロ度を含まない。）で位置ズレを生じていてもよい。
【０１２０】
つまり、図１１（ａ）の変形例１に示すように、湯側のハンドル４１Ａの回転軸心の方向Ｌ１と、水側のハンドル４１Ｂの回転軸心の方向Ｌ２とが、水栓ボディ１０の軸心Ｊ回りに形成する角度（Ｙ）が、４５度以内の範囲（ゼロ度を含まない。）、好ましくは、３０度以内の範囲（ゼロ度を含まない。）となるような「位置ズレ」を生じていてもよい。尚、変形例１は、湯水混合水栓１の外面部のうちで、使用者Ｍから見て右側方の側に位置する部分に湯側のハンドル４１Ａと、水側のハンドル４１Ｂとを、「位置ズレ」を生じた状態で配置した具体例を示している。
【０１２１】
また、本実施例では、水栓ボディ１０が、周回状に形成される外面部（周面部）を備える態様を例示したが、図１１（ｂ）の変形例２に示すように、水栓ボディ１０が、複数の側面部（１０Ａ）を備えてもよい。例えば、水栓ボディ１０を、略角柱形状若しくは略箱形状等に構成すると共に、この水栓ボディ１０の１つの側面部１０Ａにおいて、上下に、湯側のハンドル４１Ａと、水側のハンドル４１Ｂとを並べてもよい。
【０１２２】
また、実施例や各変形例において、湯側のハンドル４１Ａの回転軸心の位置と、水側のハンドル４１Ｂの回転軸心の位置とが、鉛直方向に並ぶことは必ずしも必要とされない。つまり、図１１（ｂ）の変形例２に示すように、湯側のハンドル４１Ａの回転軸心の位置と、水側のハンドル４１Ｂの回転軸心の位置とが、鉛直方向に沿って位置ズレを生じていてもよい。
【０１２３】
更に、本実施例では、湯水混合水栓１の外面部のうちで、右側方の側の部位に、湯側のハンドル４１Ａと、水側のハンドル４１Ｂとを配置する態様を例示したが、各請求項の発明では、湯水混合水栓１の外面部のうちで、左側方の側の部位に、湯側のハンドル４１Ａと、水側のハンドル４１Ｂとを配置してもよい。この場合、「左利き専用の湯水混合水栓１」等として使用できる。
【産業上の利用可能性】
【０１２４】
本発明は、例えば、水栓の製造、販売、施工、加工等を行う分野で利用可能である。
【図面の簡単な説明】
【０１２５】
【図１】実施例の湯水混合水栓の縦断面図である。
【図２】（ａ）は実施例の湯水混合水栓の平面図、（ｂ）は図１の１−１断面図である。
【図３】図１の２−２断面図である。
【図４】図１の３−３断面図である。
【図５】吐止水弁の構造を説明するための縦断面図である。
【図６】（ａ）は本実施例の吐止水弁を構成する固定ディスクの平面図、（ｂ）は本実施例の吐止水弁を構成する可動ディスクの平面図、（ｃ）は本実施例の吐止水弁を構成するスピンドルと、ディスク押さえと、可動ディスクとの関係を示す縦断面図｛図６（ｂ）のｂ−ｂ断面に相当する。｝である。
【図７】（ａ）は本実施例の吐止水弁を構成する可動ディスクの底面図、（ｂ）は本実施例の吐止水弁を構成する可動ディスクの横断面図｛図６（ｃ）のｃ−ｃ断面に相当する。｝、（ｃ）は本実施例の吐止水弁を構成するディスク押さえの平面図である。
【図８】（ａ）は本実施例の吐止水弁において可動ディスクの可動状態等を説明するための説明図、（ｂ）は本実施例の吐止水弁において閉弁状態を示す説明図、（ｃ）は本実施例の吐止水弁において開弁状態を示す説明図である。
【図９】通過用の空間部を説明するための概略的な縦断面図である（図３の５−５断面に相当する）。
【図１０】（ａ）〜（ｃ）は本実施例の湯水混合水栓において、主要な部品の組付手順を説明するための説明図である。
【図１１】（ａ）は変形例１を説明するための横断面、（ｂ）は変形例２を説明するための側面図である。
【図１２】（ａ）〜（ｃ）は各請求項の発明において、湯側の操作部と、水側の操作部の配置態様を説明するための説明図である。
【図１３】（ａ）及び（ｂ）は請求項３及び４の発明を説明するための説明図である。
【図１４】（ａ）及び（ｂ）は請求項３及び４の発明を説明するための説明図である。
【図１５】（ａ）及び（ｂ）は請求項３及び４の発明に対する比較例を説明するための説明図である。
【符号の説明】
【０１２６】
１；湯水混合水栓、
２；デッキ部（設置部）、
１０；水栓ボディ、
２１；湯側の流入路、
２２；水側の流入路、
２３；連絡路、
２４；流出路、
３０；外装部材、
５０Ａ；湯側の吐止水弁、
５０Ｂ；水側の吐止水弁、
６０；吐水手段、
８０、８５；スペーサ部材、
８６、８７；カラー（安定化部材）。
【図１】
2006257746.tif 000003
【図２】
2006257746.tif 000004
【図３】
2006257746.tif 000005
【図４】
2006257746.tif 000006
【図５】
2006257746.tif 000007
【図６】
2006257746.tif 000008
【図７】
2006257746.tif 000009
【図８】
2006257746.tif 000010
【図９】
2006257746.tif 000011
【図１０】
2006257746.tif 000012
【図１１】
2006257746.tif 000013
【図１２】
2006257746.tif 000014
【図１３】
2006257746.tif 000015
【図１４】
2006257746.tif 000016
【図１５】
2006257746.tif 000017